(57)【特許請求の範囲】
【請求項１】
窓枠を構成する左右縦枠に各々左右一対で縦方向に複数組並設された軸受けと、該複数組の軸受けに各々軸支される揺動軸によって各々水平に横架された複数のルーバー板と、前記複数組の揺動軸の左右少なくとも一方の揺動軸に各々一体に設けられた複数の重り部材とを備え、前記複数のルーバー板は、前記揺動軸を中心としてルーバー板の傾きが窓枠面に対して略平行となる閉鎖状態と、ルーバー板の傾きが窓枠面に対して交差する開放状態との間で揺動動作を行い、前記複数の重り部材は、無風状態の時に、前記複数のルーバー板が各々前記窓枠面に対して略開放状態で釣り合う位置となるように構成されており、前記窓枠には、前記複数のルーバー板の各々の窓枠面に対する最大傾き角度を規制する規制手段を備え、前記規制手段は、前記窓枠の左右縦枠の少なくとも一方に縦方向に摺動可能に設けられた摺動部材と、前記ルーバー板の開放時に揺動軸より上方で該ルーバー板の下面端縁に当接可能に前記摺動部材のルーバー板側に突設して設けられた複数の規制部材とを備えたことを特徴とするルーバー窓。
【請求項２】
前記複数のルーバー板は、窓枠縦方向に均等間隔で横架され、前記規制部材は、前記摺動部材上に前記ルーバー板の数に応じて均等間隔で配置されたことを特徴とする請求項１に記載のルーバー窓。
【発明の詳細な説明】
【０００１】
【発明の属する技術分野】
本発明は、窓に配置した複数のルーバー板を開閉させるために用いるルーバー窓に関するものである。
【０００２】
【従来の技術】
従来、ルーバー窓の駆動機構には、例えばウォームとウォームホイール、或いはウォームとスライダーを用いた機構を使用しており、これらのルーバー窓は、操作部であるハンドルを回してウォームを回転させ、ルーバー板の駆動機構を動かしていた。従って、閉鎖状態または開放状態に固定され、ルーバー板は自動的に開閉することができなかった。
【０００３】
【発明が解決しようとする課題】
前記従来の技術の場合、自然な換気ができないものであり、また手動による駆動機構は構造が複雑となり、部品点数も多くなり、さらに、コストが高くなるという欠点があった。また、自動的な換気を行うには、センサーやその他の機器を必要とし、さらにコストがかかるものであった。
【０００４】
本発明は、前記従来の技術の問題点に鑑みてなされたもので、駆動機構がシンプルで、コストも安価で耐久性も高く、自然な換気が可能なルーバー窓を提供することを目的とする。
【０００５】
【課題を解決するための手段】
請求項１に記載された発明に係るルーバー窓は、窓枠を構成する左右縦枠に各々左右一対で縦方向に複数組並設された軸受けと、該複数組の軸受けに各々軸支される揺動軸によって各々水平に横架された複数のルーバー板と、前記複数組の揺動軸の左右少なくとも一方の揺動軸に各々一体に設けられた複数の重り部材とを備え、前記複数のルーバー板は、前記揺動軸を中心としてルーバー板の傾きが窓枠面に対して略平行となる閉鎖状態と、ルーバー板の傾きが窓枠面に対して交差する開放状態との間で揺動動作を行い、前記複数の重り部材は、無風状態の時に、前記複数のルーバー板が各々前記窓枠面に対して略開放状態で釣り合う位置となるように構成されており、前記窓枠には、前記複数のルーバー板の各々の窓枠面に対する最大傾き角度を規制する規制手段を備え、前記規制手段は、前記窓枠の左右縦枠の少なくとも一方に縦方向に摺動可能に設けられた摺動部材と、前記ルーバー板の開放時に揺動軸より上方で該ルーバー板の下面端縁に当接可能に前記摺動部材のルーバー板側に突設して設けられた複数の規制部材とを備えたことを特徴とする。
【０００７】
本発明におけるルーバー板の略開放状態とは、ルーバー板が窓枠面に対して斜めに傾いた状態で、本発明のルーバー窓が装着される室内側と室外側とのわずかな圧力差で生じる風を受けてルーバー板が容易に開閉される状態を指す。例えば、窓枠面に対して０度より大きく、４５度より小さい、更に好ましく３０度より小さい程度の僅かに傾いた状態を指す。
【００１１】
即ち、このルーバー窓は、複数備わったルーバー板の各々が無風状態の時に、窓枠面に対して略開放状態で釣り合う状態となる。このため、本発明のルーバー窓が装着される室内側と室外側とのわずかな圧力差で生じる風を受けて、窓枠面に対して斜めに傾いた略開放状態の個々のルーバー板が容易に開閉され、自然な換気が可能となる。
さらに本発明のルーバー窓は、前記窓枠に前記複数のルーバー板の各々の窓枠面に対する最大傾き角度を規制する規制手段を備え、前記規制手段は、前記窓枠の左右縦枠の少なくとも一方に縦方向に摺動可能に設けられた摺動部材と、前記ルーバー板の開放時に揺動軸より上方で該ルーバー板の下面端縁に当接可能に前記摺動部材のルーバー板側に突設して設けられた複数の規制部材とを備えているので、複数のルーバー板の窓枠面に対する各々の最大傾き角度を簡便に規制することができる。
【００１７】
更に、請求項２に記載された発明に係るルーバー窓は、複数のルーバー板が窓枠縦方向に均等間隔で横架され、前記規制部材は、前記摺動部材上に前記ルーバー板の数に応じて均等間隔で配置されているので、複数のルーバー板の窓枠面に対する各々の最大傾き角度を全て同一角度に規制することができる。
【００１９】
【発明の実施の形態】
以下、この発明の実施形態について、図面に基づいて説明する。図１〜図４は、この発明の一実施形態のルーバー窓を示すものである。この実施形態のルーバー窓は、図１に示すように、室外側から見ると、左右の縦枠２、上下の横枠４および水平な４枚のルーバー板６から構成される窓枠１０が形成されている。
【００２０】
左右の縦枠２の内側には、略コ字状の軸受固定枠１２が左右対称にネジ１３により固定され、軸受固定枠１２の縦枠２と対面した側の上下内面には、縦方向に等間隔にベアリング１６を備えた軸受け１４が、左右対称に設けられている。この軸受け１４には、揺動可能に軸支された左右対称な各揺動軸１８が挿通されている。
【００２１】
この各ベアリング１６に軸支された各揺動軸１８の左右の縦枠２側には、図３，図４に示すように、重り部材２２の取付軸として機能する調整ボルト２０により上下位置が調整可能な重り部材２２が左右対称に各々設けられている。また、左右対称な各揺動軸１８間には、この揺動軸１８に軸支されたルーバー板６が設けられている。各ルーバー板６は、平板状のアルミニウム押し出し形材から成り、その上下幅の中央位置より上部側の位置で、且つ左右両端面の厚み中央部で、揺動軸１８により水平に軸支されている。
【００２２】
各ルーバー板６の下部先端縁には、長手方向に沿ってゴムまたは樹脂製のシール材１９が貼着されている。また、左右の揺動軸１８に設けられている重り部材２２は、図４に示すように、調整ボルト２０により取付状態で上下に移動可能であり、ルーバー板６が開放状態で重り部材２２が下方に位置するようにバランスが調整されている。
【００２３】
また、左右対称の各軸受け１４が固着されている左右対称の各軸受固定枠１２の内側に、断面Ｃ字状の固定板２４が左右対称にネジ２５により固着され、この各固定板２４のＣ字状の内側に、摺動部材として上下方向に摺動可能な摺動板２６が左右対称に各々設けられている。また、この各摺動板２６には、回転自在に、且つルーバー板６の上部室内側面に当接するように、等ピッチに設けられた４個の規制部材である樹脂製ローラー２８が左右対称に互いに内側を向いて対向して各々設けられている。なお、摺動板２６は、任意の摺動位置で止められるように形成しても良い。
【００２４】
図２に示すように、下方の横枠４の両端部付近には、各摺動板２６の下端部が当接して、ルーバー板６の開き角度を設定するストッパー３０が設けられている。さらに、ルーバー板６が揺動して閉鎖状態のとき、最上段のルーバー板６の上端縁が当接する位置の上方の横枠４において、室内側面に面した一端縁部には、ルーバー板６の端縁部がほぼ水密状態で当接するゴムまたは樹脂製のシール材３２が長手方向に沿って設けられている。また、最下段のルーバー板一６の下部先端縁が当接する、下方の横枠４の室外側面にも同様のシール材３３が取り付けられている。
【００２５】
次にこの実施形態のルーバー窓１０の動作について説明する。ルーバー板６は、その両端の揺動軸１８に軸支され、略開放状態でバランスがとれるように重り部材２２の位置が調節されている。従って、揺動軸１８の中心線から上部と下部のルーバー板６の面積差により、室内側と室外側とのわずかな圧力差で自動的にルーバー板６が揺動し開閉される。また、圧力差や風力がわずかな場合、ルーバー板６は、重り部材２２による重力バランスにより、略開放状態になる。
【００２６】
また、室外側の圧力あるいは風力が大きい場合、ルーバー板６のばたつきを防止するため、室内側から手動で摺動板２６を上方に摺動させ、ローラー２８によりルーバー板６の室内側面を押圧して、図２の仮想線で示す閉位置に揺動する。これにより、最上部のルーバー板６の上部の室外側面がシール３２に密接し、最上部のルーバー板６の下部先端のシール材１９がその下方のルーバー板６の上部の室外側面に密接し、２段目と３段目のルーバー板６も同様に当接する。さらに、最下部のルーバー板６は、下部先端のシール材１９が横枠４のシール材３３に密接して、窓枠１０は完全に閉鎖状態になる。揺動板２６は、この状態でロックされる。
【００２７】
この実施形態のルーバー窓は、ルーバー板６には軽量なアルミ合金を使用し、開閉動作を行わせる駆動機構には、ルーバー板６の左右軸の軸受けにはボールベアリング１６を使用したので、揺動動作が軽く滑らかである。さらに、略開放状態でバランスするように重り部材２２を設けたので、無風、あるいは微風時においても、ルーバー板６は自然に開放状態になり、且つその状態でバランス良く維持される。一方、室外側の風力、風圧が大きい場合は、ルーバー板６が自然に室内側に揺動し、閉鎖される。その結果、室内環境を常に快適に保つことが出来る。また、ルーバー板６のばたつきをなくすために摺動板２６が設けられ、ルーバー板６を閉位置やその他所定の位置に保持することもできる。
【００２８】
さらに、ルーバー窓全体がシンプルで、軽量化することができ、耐久性が高く、コストダウンも図ることができる。
【００２９】
なお、この発明のルーバー窓の摺動板を摺動させる動作は、図示を略したハンドル駆動あるいはモータ駆動に変えることも可能なものである。また、センサを用いて自動的に開閉させるようにしたものでも良い。さらに、ルーバー板がバランス良くあるいは応答性良く開放状態を維持するために、ルーバー板の材質はアルミ合金を使用しているが、その他の軽金属、ガラスまたは合成樹脂製のものを使用しても良い。
【００３０】
【発明の効果】
本発明は以上説明した通り、自然な開閉が可能であるとともに、閉位置に保持させることもでき、風力、風圧の大きさによってルーバー板が自然に開閉する。その結果、動力を用いることなく室内の換気が可能であり、室内環境を常に快適に保つことが出来る。さらに、ルーバー窓全体がシンプルで、軽量化することができ、耐久性が高く、コストダウンも図ることができるという効果がある。
【図面の簡単な説明】
【図１】この発明の一実施形態のルーバー窓の斜視図である。
【図２】この発明の一実施形態のルーバー窓の縦断面である。
【図３】この発明の一実施形態のルーバー窓の横断面図である。
【図４】この発明の一実施形態のルーバー窓の軸および重り部材の拡大正面図（ａ〉と拡大側面図（ｂ）である。
【符号の説明】
２    縦枠
４    横枠
６    ルーバー板
１０  窓枠
１２  軸受固定枠
１４  軸受け
１６  ベアリング
１８  揺動軸
１９，３２，３３  シール材
２０  調整ボルト
２２  重り部材
２４  固定板
２６  摺動板
２８  ローラー
３０  ストッパー
【図１】
0004595216.tif 000002
【図２】
0004595216.tif 000003
【図３】
0004595216.tif 000004
【図４】
0004595216.tif 000005